(57)【特許請求の範囲】
【請求項１】
阻血用カフ帯と、この阻血用カフ帯にエアーを供給及び排気するポンプ及び切換弁を内蔵した血圧計本体とを一体化した血圧計であって、阻血用カフ帯を血圧計本体の本体ケースに枢支軸にて回動自在に枢支連結し、枢支軸は血圧計本体側から阻血用カフ帯へとエアーを供給及び排気するエアーパイプを兼ね、阻血用カフ帯に血圧計本体が重なる測定姿勢と阻血用カフ帯に対して血圧計本体が略１８０°に展開して並置される収納姿勢とに切換え可能に構成して成ることを特徴とする血圧計。
【請求項２】
測定姿勢のときに血圧計本体側から阻血用カフ帯へのエアーの供給が可能な状態になり、収納姿勢のときに血圧計本体側から阻血用カフ帯へのエアーの供給ができない状態になるエアー供給・停止手段を備えて成ることを特徴とする請求項１記載の血圧計。
【請求項３】
収納姿勢の阻血用カフ帯が広がるのを防止する広がり防止手段を備えて成ることを特徴とする請求項１記載の血圧計。
【請求項４】
阻血用カフ帯を硬質の連結ベースに保持し、連結ベースを血圧計本体の本体ケースに枢支連結して成ることを特徴とする請求項１記載の血圧計。
【請求項５】
連結ベースの本体ケース側の端部に両端が開放された筒状部を形成し、筒状部の両端部に挿通されるパイプ状の枢支軸に軸芯とは直交する方向に接続管部を延出し、パイプ状の枢支軸の一端部が閉塞され、その閉塞端部に平行面を備えた多角形軸部を形成し、本体ケースに多角形軸部の平行面を受け入れて枢支軸の回転を阻止して保持する角面軸受け部を形成し、筒状部の両端部にＯリングを介してパイプ状の枢支軸を挿通して筒状部に対して枢支軸を回転自在に接続し、枢支軸の接続管部にポンプからのエアーパイプを接続して成ることを特徴とする請求項４記載の血圧計。
【請求項６】
本体ケースと連結ベースの一方にフックを、他方にフックが係止して阻血用カフ帯の測定姿勢を保持するフック受を形成して成ることを特徴とする請求項４記載の血圧計。
【請求項７】
連結ベースに電池収納スペースを形成して成ることを特徴とする請求項４記載の血圧計。
【請求項８】
阻血用カフ帯の収納姿勢においてのみ電源電池をオフするスイッチを設けて成ることを特徴とする請求項４記載の血圧計。
【請求項９】
阻血用カフ帯の測定姿勢においてのみ電池電源をオンするスイッチを設けて成ることを特徴とする請求項４記載の血圧計。
【請求項１０】
請求項１の血圧計を収納姿勢において収納する収納ケースであって、阻血用カフ帯が広がるのを防止する押さえ部材を備えて成ることを特徴とする血圧計の収納ケース。
【請求項１１】
ケース外面に着衣等への係止フックを設けて成ることを特徴とする請求項１０記載の血圧計の収納ケース。
【請求項１２】
収納ケースを斜めに起立させる支持脚片をケース外面に回動自在に設けて成ることを特徴とする請求項１０記載の血圧計の収納ケース。
【請求項１３】
収納された血圧計のスイッチを押し操作するための小孔を形成して成ることを特徴とする請求項１０記載の血圧計の収納ケース。
【請求項１４】
収納された血圧計の阻血用カフ帯と血圧計本体とのケース中心線に対して両側の重量バランスを保つ手段を備えて成ることを特徴とする請求項１０記載の血圧計の収納ケース。
【発明の詳細な説明】
【０００１】
【発明の属する技術分野】
本発明は、血圧計及びその収納ケースに関し、詳しくは、阻血用カフ帯と血圧計本体とを一体化した血圧計において、非計測時には薄型でコンパクト化を図って携帯等を容易にしようとする技術に係るものである。
【０００２】
【従来の技術】
従来、阻血用カフ帯と血圧計本体とを一体化した血圧計においては、血圧計本体に設けているポンプからのエアーを阻血用カフ帯へと圧送し、又、阻血用カフ帯のエアーを血圧計本体に設けた排気弁より排気するのであり、このため、血圧計本体に阻血用カフ帯をねじやフック等にて充分に固定しているのである。
【０００３】
【発明が解決しようとする課題】
ところで、阻血用カフ帯と血圧計本体とを一体化した血圧計においては、両者の厚みが重なることから、薄型にすることが難しく、収納時にコンパクト化ができず、持ち運びが煩わしくて携帯に不向きであるという問題がある。
【０００４】
本発明はこのような問題に鑑みてなされたものであり、阻血用カフ帯と血圧計本体とを一体化している血圧計において、非計測時には薄型でコンパクト化を図って携帯が容易となる血圧計及びその収納ケースを提供することを課題とするものである。
【０００５】
【課題を解決するための手段】
請求項１の発明においては、阻血用カフ帯１と、この阻血用カフ帯１にエアーを供給及び排気するポンプ２５及び切換弁２８を内蔵した血圧計本体２とを一体化した血圧計であって、阻血用カフ帯１を血圧計本体２の本体ケース４に枢支軸５にて回動自在に枢支連結し、枢支軸５は血圧計本体２側から阻血用カフ帯１へとエアーを供給及び排気するエアーパイプを兼ね、阻血用カフ帯１に血圧計本体２が重なる測定姿勢イと阻血用カフ帯１に対して血圧計本体２が略１８０°に展開して並置される収納姿勢ロとに切換え可能に構成していることを特徴とするものである。
このような構成によれば、阻血用カフ帯１が血圧計本体２に並置する収納姿勢ロに切換えることができ、阻血用カフ帯１と血圧計本体２とを一体化した血圧計を薄くコンパクトにでき、携帯等が容易になる。
【０００６】
また、請求項１の発明においては、阻血用カフ帯１を血圧計本体２の本体ケース４に枢支軸５にて回動自在に枢支連結し、枢支軸５は血圧計本体２側から阻血用カフ帯１へとエアーを供給及び排気するエアーパイプを兼ねていることを特徴とするものである。このような構成によれば、阻血用カフ帯１を枢支軸５において回動することで、血圧計本体２に対して阻血用カフ帯１を並置することができ、一層、薄型にできながら、枢支軸５はエアーパイプを兼ねていることから、エアーの供給系が複雑になることがなく簡素化できる。
【０００７】
請求項２の発明においては、測定姿勢イのときに血圧計本体２側から阻血用カフ帯１へのエアーの供給が可能な状態になり、収納姿勢ロのときに血圧計本体２側から阻血用カフ帯１へのエアーの供給ができない状態になるエアー供給・停止手段６を備えていることを特徴とするものである。このような構成によれば、阻血用カフ帯１が収納姿勢ロになっているとエアー供給・停止手段６によってエアーの供給ができなくなって不測の運転を防止できる。
【０００９】
請求項３の発明においては、収納姿勢ロの阻血用カフ帯１が広がるのを防止する広がり防止手段７を備えていることを特徴とするものである。このような構成によれば、広がり防止手段７によって収納姿勢ロの阻血用カフ帯１の広がりを防止でき、一層、薄型化を図ることができる。
【００１０】
請求項４の発明においては、阻血用カフ帯１を硬質の連結ベース３に保持し、連結ベース３を血圧計本体２の本体ケース４に枢支連結していることを特徴とするものである。このような構成によれば、硬質の連結ベース３を介することによって、阻血用カフ帯１の測定姿勢イ及び収納姿勢ロの切換え及び各姿勢イ、ロの保持を安定化しやすい。
【００１１】
請求項５の発明においては、連結ベース３の本体ケース４側の端部に両端が開放された筒状部１９を形成し、筒状部１９の両端部に挿通されるパイプ状の枢支軸５に軸芯とは直交する方向に接続管部２２を延出し、パイプ状の枢支軸５の一端部が閉塞され、その閉塞端部に平行面２３ａ、２３ａを備えた多角形軸部２３を形成し、本体ケース４に多角形軸部２３の平行面２３ａ、２３ａを受け入れて枢支軸５の回転を阻止して保持する角面軸受け部２４を形成し、筒状部１９の両端部にＯリング２０を介してパイプ状の枢支軸５、５を挿通して筒状部１９に対して枢支軸５を回転自在に接続し、枢支軸５の接続管部２２にポンプ２５からのエアーパイプ２６を接続していることを特徴とするものである。このような構成によれば、Ｏリング２０によってシールを図ることができ、枢支軸５の多角形軸部２３を本体ケース４の角面軸受け部２４に対して回転不能に挿入ができ、枢支軸５の本体ケース４への組み込みが容易でありながら枢支軸５の保持を確実にできて連結ベース３の回動を安定化できる。しかも、多角形軸部２３は平行面２３ａ、２３ａを備えていることから、枢支軸５は種々の回転角度を選択でき、枢支軸５から延出されている接続管部２２の向きを種々に選択することができるのであり、血圧計本体２のポンプ２５等の部品の配置を多様にできる。
【００１２】
請求項６の発明においては、本体ケース４と連結ベース３の一方にフック１０を、他方にフック１０が係止して阻血用カフ帯１の測定姿勢イを保持するフック受１１を形成していることを特徴とするものである。このような構成によれば、フック１０をフック受１１に係止することで連結ベース３を本体ケース４に固定できて阻血用カフ帯１の測定姿勢イを安定的に維持することができる。
【００１３】
請求項７の発明においては、連結ベース３に電池収納スペース８を形成していることを特徴とするものである。このような構成によれば、血圧計本体２に電池収納スペース８を設けなくてもよく、血圧計本体２の構成を簡素化することができる。
【００１４】
請求項８の発明においては、阻血用カフ帯１の収納姿勢ロにおいてのみ電源電池をオフするスイッチ１２を設けていることを特徴とするものである。このような構成によれば、阻血用カフ帯１の収納姿勢ロにおいてはスイッチ１２をオンすることができず、不測に電源電池を消費することがない。
【００１５】
請求項９の発明においては、阻血用カフ帯１の測定姿勢イにおいてのみ電池電源をオンするスイッチ１２を設けていることを特徴とするものである。このような構成によれば、阻血用カフ帯１の測定姿勢イとなる以外にスイッチ１２を入れることができず、不測に電源電池を消費することがない。
【００１６】
請求項１０の発明においては、請求項１の血圧計を収納姿勢ロにおいて収納する収納ケースであって、阻血用カフ帯１が広がるのを防止する押さえ部材１３を備えていることを特徴とするものである。このような構成によれば、収納ケース２７に血圧計Ａを収納した場合に、収納姿勢ロの阻血用カフ帯１を押さえ部材１３にて押さえて広がることを防止でき、収納ケース２７を薄型にできる。
【００１７】
請求項１１の発明においては、ケース外面に着衣等への係止フック１４を設けていることを特徴とするものである。このような構成によれば、係止フック１４をポケットやベルトに係止することで収納ケース２７の携帯を容易におこなうことができる。
【００１８】
請求項１２の発明においては、収納ケース２７を斜めに起立させる支持脚片１５をケース外面に回動自在に設けていることを特徴とするものである。このような構成によれば、支持脚片１５を起立させることで収納ケース２７を斜めに立てることができて手首置き台として手首を凭せることができ、手首の高さをほぼ心臓の高さにできて血圧の測定を安定的におこなうことができる。
【００１９】
請求項１３の発明においては、収納された血圧計のスイッチ１６を押し操作するための小孔１７を形成していることを特徴とするものである。このような構成によれば、小孔１７より血圧計本体２に設けた例えば時計設定用スイッチのようなスイッチ１６を外部から操作ができる。
【００２０】
請求項１４の発明においては、収納された血圧計の阻血用カフ帯１と血圧計本体２とのケース中心線Ｃに対して両側の重量バランスを保つ手段１８を備えていることを特徴とするものである。このような構成によれば、携帯の際に安定化させて落下を防止することができる。
【００２１】
【発明の実施の形態】
以下、本発明の実施の形態を説明する。図１（ａ）は阻血用カフ帯の収納姿勢の斜視図、同図（ｂ）は測定姿勢の斜視図である。図２は本体ケースと連結ベースとの枢支連結構成を示し、同図（ａ）は部分分解斜視図、同図(ｂ)は部分説明図である。図３は収納姿勢の斜視図である。
【００２２】
血圧計Ａは、阻血用カフ帯１と血圧計本体２とを一体化したものであって、阻血用カフ帯１と血圧計本体２が重なる測定姿勢イと阻血用カフ帯１と血圧計本体２とが並置される収納姿勢ロとに切換え可能に構成していて、阻血用カフ帯１が血圧計本体２に並置する収納姿勢ロに切換えることができ、一体化した血圧計Ａを薄くコンパクトにでき、携帯を容易におこなえるようにしている。以下、詳述する。
【００２３】
血圧計本体２は、樹脂成形品の本体ケース４の内部にポンプ２５、切換弁２８、制御部、電源電池等を内蔵し、操作部における操作に基づいてポンプ２５からエアーを手首に巻いた阻血用カフ帯１に供給し、最低・最高血圧を測定して表示窓２９に表示するのである。測定後は阻血用カフ帯１からエアーを排気して測定待機状態になる。
【００２４】
図２に示すように、本体ケース４には通孔３０が形成され、阻血用カフ帯１を保持している連結ベース３の先端部に形成した筒状部１９を挿通し、筒状部１９を本体ケース４に固定している枢支軸５、５にて回動自在に枢着していて、本体ケース４に対して連結ベース３が重なる測定姿勢イと、本体ケース４に対して連結ベース３が略１８０°に展開して薄型となる収納姿勢ロとに切り換えることができるようにしている。このように、阻血用カフ帯１が血圧計本体２に並置する収納姿勢ロに切換えることができ、一体化した血圧計Ａを薄くコンパクトにでき、携帯を容易におこなえるのである。
【００２５】
枢支軸５は、パイプ状に形成され、軸芯とは直交する方向に接続管部２２を延出し、枢支軸５の一端部が閉塞され、その閉塞端部に平行面２３ａ、２３ａを備えた多角形軸部２３を形成している。一方、本体ケース４には通孔３０の両側部に角面軸受け部２４を形成してある。
【００２６】
しかして、多角形軸部２３の平行面２３ａ、２３ａを角面軸受け部２４に回転不能に挿入することで、枢支軸５の本体ケース４への組み込みが容易でありながら連結ベース３の回動を安定化でき、しかも、多角形軸部２３は平行面２３ａ、２３ａを備えていることから、枢支軸５は種々の回転角度を選択でき、枢支軸５から延出されている接続管部２２の向きを種々に選択することができるのであり、血圧計本体２のポンプ２５等の部品の配置を多様にできる。
【００２７】
又、枢支軸５は血圧計本体２側から阻血用カフ帯１へとエアーを供給及び排気するエアーパイプを兼ねていて、エアーの供給系が複雑になることがなく簡素化できるのである。枢支軸５と筒状部１９との挿通に際してＯリング２０が介装されて充分な気密を図ってエアー漏れを防止している。枢支軸５は本体ケース４における上ケース４８の押さえ４９にて押さえられて抜止めが図られている。
【００２８】
更に、阻血用カフ帯１を硬質の連結ベース３に保持して、阻血用カフ帯１の測定姿勢イ及び収納姿勢ロの切換え及び各姿勢イ、ロの保持を安定化しやすくなるのである。
【００２９】
図５に示すように、本体ケース４にフック１０を形成し、連結ベース３にフック受１１を形成し、フック１０をフック受１１に係止することで連結ベース３を本体ケース４に固定できて阻血用カフ帯１の測定姿勢イを安定的に維持することができるのである。図６に示すように、フック１０は、例えば、本体ケース４に着脱自在に設ける電池蓋３１に形成しているが、フック１０を連結ベース３に、フック受け１１を本体ケース４に形成してもよいものである。このように、電池蓋３１と連結ベース３との結合を図って測定姿勢イとすると、測定姿勢イにおいて電池蓋３１を開くことがなくてよい。
【００３０】
図４に示すように、阻血用カフ帯１の収納姿勢ロにおいては連結ベース３が本体ケース４に対して略１８０°に展開されるのであり、この連結ベース３の動きを利用して、電源電池をオフするスイッチ１２を設けている。このスイッチ１２は、阻血用カフ帯１が測定姿勢イとなる以外には投入することができなく、不測に電源電池を消費することがないものである。この場合、スイッチ１２の形態、スイッチ１２の設置構成は種々設計変更可能である。
【００３１】
図７は参考例を示し、但し、本参考例の基本構成は上記実施の形態と共通であり、共通する部分には同一の符号を付して説明は省略する。
【００３２】
本参考例においては、血圧計本体２に対して阻血用カフ帯１を曲げることが可能なヒンジ部３２において回動自在に連結したものである。この場合、阻血用カフ帯１には連結ベース３はなくてもよい。
【００３３】
図７（ｂ）に示すように、血圧計本体２にはエアーの供給・排気を可能にするとともに常時は閉じている例えば逆止弁を備えた接続凹部３３を形成してあり、阻血用カフ帯１にはエアーの受け・排気を可能にするとともに常時は閉じている例えば逆止弁を備えた接続凸部３４を形成してあり、接続凹部３３に接続凸部３４を接続することで、エアーの供給・排気がおこなわれるようになっている。このように、測定姿勢イのときに血圧計本体２側から阻血用カフ帯１へのエアーの供給が可能な状態になり、収納姿勢ロのときに血圧計本体２側から阻血用カフ帯１へのエアーの供給ができない状態になる構成をエアー供給・停止手段６と総称する。
【００３４】
このような構成によれば、阻血用カフ帯１が収納姿勢ロになっているとエアー供給・停止手段６によってエアーの供給ができなくなって不測の運転を防止できるのである。
【００３５】
図８及び図９は更に他の参考例を示し、但し、本参考例の基本構成は上記実施の形態と共通であり、共通する部分には同一の符号を付して説明は省略する。
【００３６】
本参考例においては、血圧計本体２に対して阻血用カフ帯１をスライド自在に構成して、阻血用カフ帯１を測定姿勢イと収納姿勢ロとに切り換え可能に構成したものである。具体的には、図９に示すように、本体ケース４の底面及び側端面にわたって一連にあり溝３５を形成し、阻血用カフ帯１のベース板３６に先端部が大径となった摺動子３７を設け、摺動子３７をあり溝３５にスライド自在に挿入し、血圧計本体２に阻血用カフ帯１をスライド自在にしたものである。
【００３７】
本参考例においては、阻血用カフ帯１を血圧計本体２に対して回動させる構成に比べて簡素化しやすい。
【００３８】
図１０は更に他の実施の形態を示し、但し、本実施の形態の基本構成は上記実施の形態と共通であり、共通する部分には同一の符号を付して説明は省略する。
【００３９】
本実施の形態においては、収納姿勢ロの阻血用カフ帯１が広がるのを防止する広がり防止手段７を備えている。具体的には、断面コ字状の広がり防止手段７を収納姿勢ロの阻血用カフ帯１に後から装着するようにしたものである。この場合、広がり防止手段７の後部壁３８に係合切欠き３９を形成して、阻血用カフ帯１と血圧計本体２との上記枢支連結部やスライドのための例えば上記摺動子３７を逃げることで広がり防止手段７を容易に後付けすることができる。又、広がり防止手段７は血圧計本体２に一体化しておいてもよい。この場合、阻血用カフ帯１の姿勢の変更に際して、広がり防止手段７が邪魔にならないように構成するのはいうまでもない。
【００４０】
本実施の形態においては、広がり防止手段７によって収納姿勢ロの阻血用カフ帯１の広がりを防止でき、一層、薄型化を図ることができる。
【００４１】
図１１は更に他の実施の形態を示し、但し、本実施の形態の基本構成は上記実施の形態と共通であり、共通する部分には同一の符号を付して説明は省略する。
【００４２】
本実施の形態においては、連結ベース３に蓋体４０を着脱自在に設け、電源電池４１を連結ベース３側の電池収納スペース８に収容するようにしたものである。
【００４３】
本実施の形態においては、電源電池４１を阻血用カフ帯１側に収容することで、血圧計本体２側に電源電池４１の収納スペースを構成しなくてもよく、血圧計本体２側のコンパクト化を図ることができる。
【００４４】
ところで、阻血用カフ帯１において略Ｃ字状となるカフ部分に挿入しているクリップ板４２においては、図１２に示すように、薄肉部４３を形成して折り曲げを容易にすると、手首への装着が容易となってよい。
【００４５】
図１３乃至図１８は、以上詳述した血圧計Ａをその収納姿勢ロにおいて収納する収納ケース２７を示している。
【００４６】
図１３の実施の形態の収納ケース２７は、本体部４４と蓋部４５とを折り曲げ部４６で連結した例えば合成樹脂製であり、本体部４４に収納姿勢ロの阻血用カフ帯１が広がるのを防止する押さえ部材１３を一体に形成している。
【００４７】
本実施の形態においては、収納ケース２７に血圧計Ａを収納した場合に、収納姿勢ロの阻血用カフ帯１を押さえ部材１３にて押さえて広がることを防止できるのであり、収納ケース２７を薄型にできる。
【００４８】
図１４は他の実施の形態を示し、但し、本実施の形態の基本構成は上記実施の形態と共通であり、共通する部分には同一の符号を付して説明は省略する。
【００４９】
本実施の形態においては、ケース外面に着衣等への係止フック１４を設けていて、係止フック１４をポケットやベルトに係止することで収納ケース２７の携帯を容易におこなうことができる。
【００５０】
図１５は更に他の実施の形態を示し、但し、本実施の形態の基本構成は上記実施の形態と共通であり、共通する部分には同一の符号を付して説明は省略する。
【００５１】
本実施の形態においては、収納ケース２７を斜めに起立させる支持脚片１５をケース外面に回動自在に設けていて、支持脚片１５を起立させることで収納ケース２７を斜めに立てることができて手首置き台として手首を凭せることができ、手首の高さをほぼ心臓の高さにできて血圧の測定を安定的におこなうことができる。
【００５２】
図１６は更に他の実施の形態を示し、但し、本実施の形態の基本構成は上記実施の形態と共通であり、共通する部分には同一の符号を付して説明は省略する。
【００５３】
本実施の形態においては、収納された血圧計Ａの例えばカレンダー及び時計設定用スイッチのようなスイッチ１６を押し操作するための小孔１７を形成していて、小孔１７より血圧計本体２に設けた例えばカレンダー及び時計設定用スイッチのようなスイッチ１６を外部から挿入した棒状片によって操作ができる。収納ケース２７には、透視窓５１を設けて血圧計Ａの表示窓２９を見ることができるようにしている。
【００５４】
図１７は更に他の実施の形態を示し、但し、本実施の形態の基本構成は上記実施の形態と共通であり、共通する部分には同一の符号を付して説明は省略する。
【００５５】
本実施の形態においては、本体部４４にゴム或いは合成樹脂製の滑り止め部４７を付設していて、腕（手首）を凭せて測定する際に滑り止めを図ることができる。
【００５６】
図１８は更に他の実施の形態を示し、但し、本実施の形態の基本構成は上記実施の形態と共通であり、共通する部分には同一の符号を付して説明は省略する。
【００５７】
本実施の形態においては、収納された血圧計Ａの阻血用カフ帯１と血圧計本体２とのケース中心線Ｃに対して両側の重量バランスを保つ手段１８を備えている。具体的には、押さえ部材１３を金属製として、収納姿勢ロの血圧計Ａの左右の重量バランスを保ち、携帯の際に安定化させて落下等を防止する。
【００５８】
【発明の効果】
請求項１の発明においては、阻血用カフ帯と、この阻血用カフ帯にエアーを供給及び排気するポンプ及び切換弁を内蔵した血圧計本体とを一体化した血圧計であって、阻血用カフ帯を血圧計本体の本体ケースに枢支軸にて回動自在に枢支連結し、枢支軸は血圧計本体側から阻血用カフ帯へとエアーを供給及び排気するエアーパイプを兼ね、阻血用カフ帯に血圧計本体が重なる測定姿勢と阻血用カフ帯に対して血圧計本体が略１８０°に展開して並置される収納姿勢とに切換え可能に構成しているから、阻血用カフ帯が血圧計本体に並置する収納姿勢に切換えることができ、阻血用カフ帯と血圧計本体とを一体化した血圧計を薄くコンパクトにでき、携帯等が容易になるという利点がある。
【００５９】
更に、請求項１の発明においては、阻血用カフ帯を血圧計本体の本体ケースに枢支軸にて回動自在に枢支連結し、枢支軸は血圧計本体側から阻血用カフ帯へとエアーを供給及び排気するエアーパイプを兼ねているから、阻血用カフ帯を枢支軸において回動することで、血圧計本体に対して阻血用カフ帯を並置することができ、一層、薄型にできながら、枢支軸はエアーパイプを兼ねていることから、エアーの供給系が複雑になることがなく簡素化できるという利点がある。
【００６０】
請求項２の発明においては、測定姿勢のときに血圧計本体側から阻血用カフ帯へのエアーの供給が可能な状態になり、収納姿勢のときに血圧計本体側から阻血用カフ帯へのエアーの供給ができない状態になるエアー供給・停止手段を備えているから、阻血用カフ帯が収納姿勢になっているとエアー供給・停止手段によってエアーの供給ができなくなって不測の運転を防止できるという利点がある。
【００６２】
請求項３の発明においては、請求項１の効果に加えて、収納姿勢の阻血用カフ帯が広がるのを防止する広がり防止手段を備えているから、広がり防止手段によって収納姿勢の阻血用カフ帯の広がりを防止でき、一層、薄型化を図ることができるという利点がある。
【００６３】
請求項４の発明においては、請求項１の効果に加えて、阻血用カフ帯を硬質の連結ベースに保持し、連結ベースを血圧計本体の本体ケースに枢支連結しているから、硬質の連結ベースを介することによって、阻血用カフ帯の測定姿勢及び収納姿勢の切換え及び各姿勢の保持を安定化しやすいという利点がある。
【００６４】
請求項５の発明においては、請求項４の効果に加えて、連結ベースの本体ケース側の端部に両端が開放された筒状部を形成し、筒状部の両端部に挿通されるパイプ状の枢支軸に軸芯とは直交する方向に接続管部を延出し、パイプ状の枢支軸の一端部が閉塞され、その閉塞端部に平行面を備えた多角形軸部を形成し、本体ケースに多角形軸部の平行面を受け入れて枢支軸の回転を阻止して保持する角面軸受け部を形成し、筒状部の両端部にＯリングを介してパイプ状の枢支軸を挿通して筒状部に対して枢支軸を回転自在に接続し、枢支軸の接続管部にポンプからのエアーパイプを接続しているから、Ｏリングによってシールを図ることができ、枢支軸の多角形軸部を本体ケースの角面軸受け部に対して回転不能に挿入ができ、枢支軸の本体ケースへの組み込みが容易でありながら枢支軸の保持を確実にできて連結ベースの回動を安定化できるという利点がある。しかも、多角形軸部は平行面を備えていることから、枢支軸は種々の回転角度を選択でき、枢支軸から延出されている接続管部の向きを種々に選択することができるのであり、血圧計本体のポンプ等の部品の配置を多様にできるという利点がある。
【００６５】
請求項６の発明においては、請求項４の効果に加えて、本体ケースと連結ベースの一方にフックを、他方にフックが係止して阻血用カフ帯の測定姿勢を保持するフック受を形成しているから、フックをフック受に係止することで連結ベースを本体ケースに固定できて阻血用カフ帯の測定姿勢を安定的に維持することができるという利点がある。
【００６６】
請求項７の発明においては、請求項４の効果に加えて、連結ベースに電池収納スペースを形成しているから、血圧計本体に電池収納スペースを設けなくてもよく、血圧計本体の構成を簡素化することができるという利点がある。
【００６７】
請求項８の発明においては、請求項４の効果に加えて、阻血用カフ帯の収納姿勢においてのみ電源電池をオフするスイッチを設けているから、阻血用カフ帯の収納姿勢においてはスイッチをオンすることができず、不測に電源電池を消費することがないという利点がある。
【００６８】
請求項９の発明においては、請求項４の効果に加えて、阻血用カフ帯の測定姿勢においてのみ電池電源をオンするスイッチを設けているから、阻血用カフ帯の測定姿勢となる以外にスイッチを入れることができず、不測に電源電池を消費することがないという利点がある。
【００６９】
請求項１０の発明においては、請求項１の血圧計を収納姿勢において収納する収納ケースであって、阻血用カフ帯が広がるのを防止する押さえ部材を備えているから、収納ケースに血圧計を収納した場合に、収納姿勢の阻血用カフ帯を押さえ部材にて押さえて広がることを防止でき、収納ケースを薄型にできるという利点がある。
【００７０】
請求項１１の発明においては、請求項１０の効果に加えて、ケース外面に着衣等への係止フックを設けているから、係止フックをポケットやベルトに係止することで収納ケースの携帯を容易におこなうことができるという利点がある。
【００７１】
請求項１２の発明においては、請求項１０の効果に加えて、収納ケースを斜めに起立させる支持脚片をケース外面に回動自在に設けているから、支持脚片を起立させることで収納ケースを斜めに立てることができて手首置き台として手首を凭せることができ、手首の高さをほぼ心臓の高さにできて血圧の測定を安定的におこなうことができるという利点がある。
【００７２】
請求項１３の発明においては、請求項１０の効果に加えて、収納された血圧計のスイッチを押し操作するための小孔を形成しているから、小孔より血圧計本体に設けた例えば時計設定用スイッチのようなスイッチを外部から操作ができるという利点がある。
【００７３】
請求項１４の発明においては、請求項１０の効果に加えて、収納された血圧計の阻血用カフ帯と血圧計本体とのケース中心線に対して両側の重量バランスを保つ手段を備えているから、携帯の際に安定化させて落下等を防止することができるという利点がある。
【図面の簡単な説明】
【図１】本発明の実施の一形態を示し、（ａ）は阻血用カフ帯の収納姿勢の斜視図、（ｂ）は測定姿勢の斜視図である。
【図２】同上の本体ケースと連結ベースとの枢支連結構成を示し、（ａ）は部分分解斜視図、（ｂ）は部分説明図である。
【図３】同上の収納姿勢の斜視図である。
【図４】（ａ）は同上の動作を示す部分斜視図、（ｂ）（ｃ）は説明図である。
【図５】同上の動作を示す部分斜視図である。
【図６】同上の部分分解斜視図である。
【図７】同上の参考例を示し、（ａ）は斜視図、（ｂ）は底面図である。
【図８】同上の更に他の参考例を示し、（ａ）（ｂ）は動作を示す説明図である。
【図９】（ａ）は概略断面図、（ｂ）は概略斜視図である。
【図１０】同上の更に他の実施の形態を示し、（ａ）は概略斜視図、（ｂ）は広がり防止手段の斜視図である。
【図１１】同上の更に他の実施の形態の斜視図である。
【図１２】同上の更に他の実施の形態を示し、（ａ）（ｂ）は説明図である。
【図１３】本発明の血圧計を収納する収納ケースを示し、（ａ）は斜視図、（ｂ）は収納状態の断面図である。
【図１４】同上の他の実施の形態を示し、（ａ）は斜視図、（ｂ）断面図である。
【図１５】同上の更に他の実施の形態を示し、（ａ）は斜視図、（ｂ）説明図である。
【図１６】同上の更に他の実施の形態を示し、（ａ）（ｂ）は斜視図である。
【図１７】同上の更に他の実施の形態を示し、（ａ）は斜視図、（ｂ）説明図である。
【図１８】同上の更に他の実施の形態の断面図である。
【符号の説明】
１  阻血用カフ帯
２  血圧計本体
３  連結ベース
４  本体ケース
【図１】
0003956747.tif 000002
【図２】
0003956747.tif 000003
【図３】
0003956747.tif 000004
【図４】
0003956747.tif 000005
【図５】
0003956747.tif 000006
【図６】
0003956747.tif 000007
【図７】
0003956747.tif 000008
【図８】
0003956747.tif 000009
【図９】
0003956747.tif 000010
【図１０】
0003956747.tif 000011
【図１１】
0003956747.tif 000012
【図１２】
0003956747.tif 000013
【図１３】
0003956747.tif 000014
【図１４】
0003956747.tif 000015
【図１５】
0003956747.tif 000016
【図１６】
0003956747.tif 000017
【図１７】
0003956747.tif 000018
【図１８】
0003956747.tif 000019